(57)【要約】【課題】部品点数の増大や構造の複雑化、レンズ鏡筒の大型化、コストアップを招くことなく、撮影レンズの焦点距離又は撮影画角に応じて遮光部材と撮影レンズとの光軸方向の距離を適切に変化させ、更に適切な位置に有害光を排除する有害光線除去手段を設けたので、写真撮影に有害な光線を排除し、良好な光学性能を維持することができる。【解決手段】第１の撮影レンズ１１及び第２の撮影レンズ１２から成る撮影レンズ群１０と、撮影レンズ群の前方に開閉自在に配置され閉止時には撮影レンズを保護すると共に開放時には入射光中の有害光線を遮光する遮光部材２０と、撮影レンズ群と遮光部材との光軸方向相対位置を可変調整する調整手段３０と、遮光部材の開口２１ａ内に進入した有害光線Ｏ１が撮影レンズ群へ入射することを防止する有害光線除去手段５０と、を備えた。【選択図】　　　図２
2004109514.tif 000002
【特許請求の範囲】
【請求項１】
第１の撮影レンズ及び第２の撮影レンズから成る撮影レンズ群と、該撮影レンズ群の前方に開閉自在に配置され閉止時には撮影レンズを保護すると共に開放時には入射光中の有害光線を遮光する遮光部材と、前記撮影レンズ群と前記遮光部材との光軸方向相対位置を可変調整する調整手段と、前記遮光部材の開口内に進入した有害光線が撮影レンズ群へ入射することを防止する有害光線除去手段と、を備えたことを特徴とするレンズバリア装置。
【請求項２】
前記調整手段は、前記撮影レンズ群に対する前記遮光部材の光軸方向相対位置を、前記第１の撮影レンズと第２の撮影レンズの焦点距離又は撮影画角の変化に応じて移動させる機構であることを特徴とする請求項１に記載のレンズバリア装置。
【請求項３】
前記調整手段は、回転不能な固定筒と、固定筒の内壁に設けた固定側螺旋ガイドにより回転自在且つ軸方向移動自在に支持された回転移動筒と、該回転移動筒の内壁に設けられて前記遮光部材、第１の撮影レンズ、及び第２の撮影レンズを夫々相対回転可能に支持した少なくとも３本の可動側螺旋ガイドと、前記遮光部材、第１の撮影レンズ、及び第２の撮影レンズを前記固定筒に対して回転不能且つ軸方向移動可能に支持する直進機構と、を備えていることを特徴とする請求項１又は２に記載のレンズバリア装置。
【請求項４】
前記遮光部材は、前記撮影レンズ群をズーミングするために回転移動筒を回転させる動作に連動して光軸方向に移動して、撮像レンズ群の前面との相対的位置関係を調整可能に構成されていることを特徴とする請求項１、２又は３の何れか一項に記載のレンズバリア装置。
【請求項５】
前記有害光線除去手段は、前記遮光部材の開口内に進入した有害光線を被写体側に反射するか、或いは吸収することにより、前記撮影レンズ群へ入射させないことを特徴とする請求項１、２、３又は４の何れか一項に記載のレンズバリア装置。
【請求項６】
前記有害光線除去手段は、前記有害光線を被写体側に反射するか、或いは吸収することにより、前記撮影レンズ群へ入射させないための表面形状を備えていることを特徴とする請求項５に記載のレンズバリア装置。
【請求項７】
前記有害光線除去手段は、前記有害光線の反射を防止するか、或いは吸収することにより、前記撮影レンズ群へ入射させないための材料から成ることを特徴とするレンズバリア装置。
【請求項８】
前記遮光部材と、前記撮影レンズ群とは、互いに独立した別体の部品であることを特徴とする請求項１乃至７の何れか一項に記載のレンズバリア装置。
【請求項９】
前記遮光部材は、前記第１の撮影レンズを除いた他の可動部品の何れか一つと一体化されていることを特徴とする請求項１乃至７の何れか一項に記載のレンズバリア装置。
【請求項１０】
請求項１乃至９のいずれか一項に記載のレンズバリア装置を備えたことを特徴とするズームレンズ鏡筒。
【請求項１１】
請求項１０に記載のズームレンズ鏡筒を備えたことを特徴とするデジタルカメラ。
【発明の詳細な説明】
【０００１】
【発明の属する技術分野】
本発明はカメラのレンズバリア装置に関し、特に撮影レンズの焦点距離又は撮影画角に応じて遮光部材と撮影レンズとの光軸方向の距離を変化させることにより、写真撮影に有害な光線を排除するフードとして有効に機能し、良好な光学性能を維持するようにしたレンズバリア装置及びそれを有したデジタルカメラに関するものである。
【０００２】
【従来の技術】
近年、撮影レンズの焦点距離が最短であるときの広角状態と、最長であるときの望遠状態とを選択的に切り替えることができるズームレンズ鏡筒等の可変焦点装置を備えたカメラが普及している。この種のカメラとしては、例えばデジタルカメラ、ビデオカメラ、銀塩カメラ等が知られている。
ところで、この種の可変焦点装置を備えたカメラに対するユーザーのニーズは多岐に渡ってきており、特にカメラ形状の小型化と、撮影画角の広画角化が強く求められている。このニーズに合わせるために、ズームレンズ鏡筒の小型化、広画角化が進んでいる。
しかし小型化、広画角化に伴って撮影に寄与しない外光線がレンズ面や鏡筒内部の部品等に入射して反射し、撮像素子まで届き、撮影画像にフレアやゴーストが発生して画質を低下させるという不具合が発生するようになってきた。これは鏡筒が小型化したことにより、鏡筒のふところ部分が少なくなったことや、コストダウンによる部品点数削減による影響、広画角化によって多様な角度で入射する外光線が鏡筒内面で反射すること等が原因として考えられるが、これらの有害光線は像性能を著しく害し、撮影画像にも影響する。
そのような状況を打開するために、小型ズーム鏡筒に関して、有害光線を排除するための方法が数多く提案されている。
例えば特開平６−０３５０３１号公報（特許文献１）は、レンズバリア装置に複雑な機構を追加して、広角端から望遠端までレンズバリア装置の開口部を変化させて有害光を遮光する方法に関するが、このような機構を追加して複雑にすることはカメラの小型化を阻害し、作動不良の原因にもなりやすく、コスト的にも高価になる。また画角が狭いところではレンズバリア装置の羽根が見えてしまい、ユーザーにもケラレの不安感が出てしまう。
また、特開平６−２０１９６６号公報（特許文献２）は、鏡筒内部の撮影レンズの後に遮光板を追加し、広角、望遠とその中間状態で位置を変え、それぞれの遮光に最も適した位置に遮光板を配置できる機構を開示している。更に、特開平６−２８９４７３（特許文献３）では、鏡筒内部の撮影レンズの後方に遮光板を追加し、遮光板を移動量の少ない回転移動鏡筒の回動阻止のキー部材に止着して、撮影レンズ周辺部の透過光によるフレアを防止している。特許文献２と特許文献３は、別部品（遮光板）を内部の移動筒に追加することによって広角端から望遠端までの範囲で有害光を遮光する方法に関するが、いずれも部品追加によるコストアップにつながる。
【特許文献１】特開平６−０３５０３１号公報
【特許文献２】特開平６−２０１９６６号公報
【特許文献３】特開平６−２８９４７３号公報
【０００３】
【発明が解決しようとする課題】
本発明は以上の点に鑑みてなされたものであり、部品点数の増大や構造の複雑化、レンズ鏡筒の大型化、コストアップを招くことなく、撮影レンズの焦点距離又は撮影画角に応じて遮光部材と撮影レンズとの光軸方向の距離を適切に変化させることにより、写真撮影に有害な光線を排除するフードとして有効に機能することができ、良好な光学性能を維持するようにしたレンズバリア装置及びそれを有したデジタルカメラに関するものである。
【０００４】
【課題を解決するための手段】
上記課題を解決するため、請求項１の発明は、第１の撮影レンズ及び第２の撮影レンズから成る撮影レンズ群と、該撮影レンズ群の前方に開閉自在に配置され閉止時には撮影レンズを保護すると共に開放時には入射光中の有害光線を遮光する遮光部材と、前記撮影レンズ群と前記遮光部材との光軸方向相対位置を可変調整する調整手段と、遮光部材の開口内に進入した有害光線が撮影レンズ群へ入射することを防止する有害光線除去手段と、を備えたことを特徴とする。
この発明によれば、焦点距離や画角の変化に応じて作動する調整手段によって遮光部材と撮影レンズ群の前面との間の距離を可変調整するようにしたので、遮光部材や、レンズ鏡筒を大きくすることなく、また部品追加によるコストアップを招くことなく、画角以外からの光線を排除してフレア等の像性能に悪影響を与えないレンズバリア装置を提供することができる。
請求項２の発明は、請求項１において、前記調整手段は、前記撮影レンズ群に対する前記遮光部材の光軸方向相対位置を、前記第１の撮影レンズと第２の撮影レンズの焦点距離又は撮影画角の変化に応じて移動させる機構であることを特徴とする。
請求項３の発明は、請求項１又は２において、前記調整手段は、回転不能な固定筒と、固定筒の内壁に設けた固定側螺旋ガイドにより回転自在且つ軸方向移動自在に支持された回転移動筒と、該回転移動筒の内壁に設けられて前記遮光部材、第１の撮影レンズ、及び第２の撮影レンズを夫々相対回転可能に支持した少なくとも３本の可動側螺旋ガイドと、前記遮光部材、第１の撮影レンズ、及び第２の撮影レンズを前記固定筒に対して回転不能且つ軸方向移動可能に支持する直進機構と、を備えていることを特徴とする。
請求項２又は３の発明によれば、既存の部品（固定筒、回転移動筒、遮光部材、レンズホルダ）を用いることで部品点数を増やさず（コストアップせず）、螺旋溝とピンから成るカム機構による簡単な機構で作動不良も起きにくく、画角以外からの光線を排除してフレア等の像性能に悪影響を与えないレンズバリア装置を構築することができる。
請求項４の発明は、請求項１、２又は３において、前記遮光部材は、前記撮影レンズ群をズーミングするために回転移動筒を回転させる動作に連動して光軸方向に移動して、撮像レンズ群の前面との相対的位置関係を調整可能に構成されていることを特徴とする。
この発明によれば、広角から望遠の間であっても、撮影レンズ群の最前面と遮光部材との間の距離が可変となっているので、画角以外からの光線を排除してフレア等の像性能に悪影響を与えないレンズバリア装置を構築することができる。
【０００５】
請求項５の発明は、請求項１乃至４の何れか一項において、前記有害光線除去手段は、前記遮光部材の開口内に進入した有害光線を被写体側に反射するか、或いは吸収することにより、前記撮影レンズ群へ入射させないことを特徴とする。請求項６の発明は、前記有害光線除去手段は、前記有害光線を被写体側に反射するか、或いは吸収することにより、前記撮影レンズ群へ入射させないための表面形状を備えていることを特徴とする。
請求項７の発明は、前記有害光線除去手段は、前記有害光線の反射を防止するか、或いは吸収することにより、前記撮影レンズ群へ入射させないための材料から成ることを特徴とする。
請求項５、６乃至７に記載の発明によれば、望遠時に発生しやすい鏡筒内壁の反射光線を排除してフレア等の像性能に悪影響が発生する不具合を解消することができる。
請求項８の発明は、請求項１乃至７の何れか一項に記載のレンズバリア装置において、前記遮光部材と、前記撮影レンズ群とは、互いに独立した別体の部品であることを特徴とする。
請求項９の発明は、請求項１乃至７において、前記遮光部材は、前記第１の撮影レンズを除いた他の可動部品の何れか一つと一体化されていることを特徴とする。
請求項８乃至９に記載の発明は、遮光部材が、撮影レンズ群（特に第１撮影レンズ）とは別に作動でき、広角から望遠へのズーム動作の間であっても、画角以外からの光線を排除してフレア等が像性能に悪影響を与える不具合を解消できる。
請求項１０の発明に係るズームレンズ鏡筒は、請求項１乃至９のいずれか一項に記載のレンズバリア装置を備えたことを特徴とする。
これによれば、従来フレア等の有害光線の影響を受けやすかった小型で広画角のレンズ鏡筒に、有害光線の影響を排除するための構成を付加したので、高画質の画像を撮影することができる。
請求項１１の発明に係るデジタルカメラは、請求項１０に記載のズームレンズ鏡筒を備えたことを特徴とする。
これによれば、フレア等の有害光線の影響を受けやすい小型で広画角のレンズ鏡筒を備えたデジタルカメラであっても、簡単な改良によって高画質の画像を撮影できるように構成することができる。
【０００６】
【発明の実施の形態】
以下、本発明を図面に示した実施の形態により詳細に説明する。なお、以下の説明、及び図面に記載された事項は全て一例に過ぎず、本発明の技術的範囲を限定するものではない。
図１は本発明の一実施形態に係るレンズバリア装置を備えたズームレンズ鏡筒の外観斜視図、図２（ａ）（ｂ）及び（ｃ）は、その構成及び動作を示す縦断面図である。即ち、図２（ａ）はズームレンズ鏡筒の収納状態でのレンズバリア装置と撮影レンズ群との位置関係を示し、図２（ｂ）は広角端でレンズバリア装置の開口端面が撮影レンズの光学性能を劣化させる有害光線を遮光している状態を示し、図２（ｃ）は望遠端でレンズバリア装置を広角端時よりも物体側へ移動させて同じく開口端面がレンズの光学性能を劣化させる有害光線を遮光している状態を示している。
このズームレンズ鏡筒１は、第１の撮影レンズ（群）１１、第２の撮影レンズ（群）１２、及び第３の撮影レンズ１３から成る撮影レンズ群１０と、撮影レンズ群１０の前方（被写体側）に開閉自在に配置され閉止時には撮影レンズ前面を保護すると共に開放時には入射光中の有害光線を遮光する遮光部材２０と、撮影レンズ群１０と遮光部材２０との光軸方向相対位置を可変調整する調整手段３０と、遮光部材の開口内に進入した有害光線が撮影レンズ群へ入射することを防止する有害光線除去手段５０と、を備えている。
遮光部材２０と、調整手段３０と、有害光線除去手段５０は、レンズバリア装置２を構成している。
【０００７】
調整手段３０は、撮影レンズ群１０に対する遮光部材２０の光軸方向相対位置を、第１の撮影レンズ１１と第２の撮影レンズ１２と第３の撮影レンズ１３との焦点距離又は撮影画角の変化に応じて移動させる機構である。
調整手段３０は、カメラのボディ等に固定される回転不能な固定筒３１と、固定筒３１の内壁に設けた複数本の固定側螺旋溝（固定側螺旋ガイド）３１ａと外周面のピン３３ｄにより係合することにより回転自在に支持され回転移動筒３３と、回転移動筒３３の内壁に設けられて遮光部材２０、第１の撮影レンズ１１、第２の撮影レンズ１２及び第３の撮影レンズ１３を夫々相対回転可能に支持した少なくとも３本の可動側螺旋溝（可動側螺旋ガイド）３３ａ、３３ｂ、３３ｃと、遮光部材２０、第１の撮影レンズ１１、第２の撮影レンズ１２、及び第３の撮影レンズ１３を固定筒３１に対して回転不能且つ軸方向移動可能に支持する筒状の直進機構３５と、を備えている。固定側螺旋溝３１ａ、可動側螺旋溝３３ａ、３３ｂ、３３ｃは、例えば断面形状が台形状であり、カム溝として機能する。
回転移動筒３３は、外周面に設けた図示しないギヤ部を図示しないモータと連結された駆動ギヤと噛合させることにより正逆方向へ回転駆動される。図示しない制御部がモータの回転量、回転方向を制御することにより、回転移動筒３３の回転量、回転方向が設定される。
直進機構３５は、固定筒３１の内周に軸方向に沿って形成された直進溝３１ｂ内に外周面の一部が嵌合して光軸方向へ進退可能且つ回転不能に支持されている。この直進機構３５は、外周部にて直進溝３１ｂに嵌合する後端側の環状部分３５ａと、回転移動筒３３の前端内周に設けた固定溝内に嵌合固定される前端側の環状部分３５ｂと、両環状部分３５ａ、３５ｂ間を連結するために軸方向へ延びる連設片３５ｃと、を備えている。
【０００８】
この例に示す撮影レンズ群１０は、３つ（３群）から成り、第１及び第２の撮影レンズ１１、１２間の間隔を可変にして、図２（ａ）に示した収納状態、図２（ｂ）に示した広角端、図２（ｃ）に示した望遠端にと変倍操作を行い、第３の撮影レンズ１３を図示せぬ機構によって移動させて焦点を合わせる、３群ズーム構造である。
第１の撮影レンズ１１、第２の撮影レンズ１２、及び第３の撮影レンズ１３は、夫々レンズ本体１１ａ、１２ａ、１３ａと、各レンズ本体１１ａ、１２ａ、１３ａの外周縁を支持する第１のレンズホルダ１１ｂ、第２のレンズホルダ１２ｂ、及び第３のレンズホルダ１３ｂを備えている。
レンズバリア装置２を構成する遮光部材２０は、回転移動筒３３の内周によって光軸方向へ直進するように支持された筒状の本体２１と、本体２１の前部開口部２１ａを開閉する羽根状の遮光片２２と、を備えている。本体２１の外周面にはピン２１ｂを突設し、このピン２１ｂを可動側螺旋溝３３ａ内に嵌合させて本体２１を回転移動筒３３に対して相対回転可能に支持する。遮光片２２は、上方と下方に開く羽根を２枚以上備え、非撮影状態においては開口部２１ａを図２（ａ）のごとく完全に閉じて、撮影レンズ群１０の前面を保護している。また撮影状態においては図２（ｂ）のごとく開口部２１ａを開放して露光可能としている。
遮光部材２０は、撮影レンズ群１０をズーミングするために回転移動筒３３を回転させる動作に連動して光軸方向に直進移動して、撮像レンズ群の前面との相対的位置関係を調整可能に構成されている。
【０００９】
第１及び第２の撮影レンズ１１、１２の各レンズホルダ１１ｂ、１２ｂは、夫々その外周にピン１１ｃ、１２ｃを備え、各ピン１１ｃ、１２ｃを回転移動筒３３の内周面に設けた可動側螺旋溝３３ｂ、３３ｃ内に嵌合することにより、回転移動筒３３に対して第１及び第２のレンズホルダ１１ｂ、１２ｂを回転可能に支持する。
更に、遮光部材本体２１の外周に設けたピン２１ｂ、及び各レンズホルダ１１ｂ、１２ｂの外周に夫々設けたピン１１ｃ、１２ｃは、直進機構３５の連設片３５ｃに設けたスリット状の直進ガイド３５ｃ’にも係合することにより、遮光部材本体２１、各レンズホルダ１１ｂ、１２ｂが固定筒３１に対して回転することを禁止しつつ光軸方向移動を許容している。なお、回転移動筒３３との関係では、各ピン２１ｂ、１１ｃ、１２ｃは、回転移動筒３３が固定筒３１に対して回転することを許容しつつ、遮光部材本体２１、第１及び第２の撮影レンズ１１、１２は回転方向には固定された状態で光軸方向へのみ移動する。
このように構成したため、回転移動筒３３が回転することにより、直進機構３５による回転規制により、遮光部材２０は所定の焦点距離における画角と開口部２１ａがほぼ一致する位置まで直進移動し、レンズホルダ１１ｂ、１２ｂはそれぞれの焦点距離の所定の位置まで直進移動する。
なお、図２（ａ）に示した収納時には遮光部材２０、レンズホルダ１１ｂ、１２ｂに設けた各ピン２１ｂ、１１ｃ、１２ｃの各軸方向位置は、縦断面図で図示した場合には重なることもあるが、実際には周方向位置が重ならないように配置されている。
【００１０】
以上の構成を備えたレンズバリア装置２の特徴は、撮影レンズ群１０の焦点距離または画角の変化等の撮影状態の変化に応じて調整手段３０により、レンズバリア装置２と第１の撮影レンズ１１との光軸方向相対位置が可変となるように構成した点にある。換言すれば、従来装置では、レンズバリア装置２は第１の撮影レンズ１１と一体化して軸方向へ進退するように構成されていたため、有害光線を遮光する上で限界があったが、本発明ではレンズバリア装置２と第１の撮影レンズ１１間の距離が変更可能に構成されているので、多様な角度から入射する有害光線を遮光することが可能となる。
即ち、調整手段３０による、収納、広角端から望遠端への撮影状態変化に際して、レンズバリア装置２０と第１の撮影レンズ１１との距離を例えば大きくすることによって撮影光線に対するレンズバリア装置の開口面積を略同一となるようにして、像性能に悪影響を与える有害光線をレンズバリア装置の開口部２１ａ端面にて遮光し、良好な像性能を得られるようにしている。
上記実施形態では、遮光部材２０と、各撮影レンズ１１、１２、１３とを、互いに独立した別体の部品とすることにより、遮光部材２０に関する上記の挙動を実現したが、遮光部材２０を第１の撮影レンズ１１以外の部品、例えば第２の撮影レンズ１２と一体化させたとしても、遮光部材２０と第１の撮影レンズ１１との相対的な軸方向移動が可能となるので、本発明の目的は依然として達成可能である。なお、仮に、回転移動筒３３を複数の独立した構成部分から構成した場合には、何れか一つの構成部分と遮光部材２０を一体化させることも可能である。要するに、遮光部材２０は第１の撮影レンズ１１と一体化しない限り、上記の如き挙動を実現可能である。
【００１１】
次に、有害光線除去手段５０は、有害光線が入射する虞のある遮光部材本体２１の内周面に配置され、開口部２１ａ内に進入した有害光線を被写体側に反射させるか、或いは吸収することにより、前記撮影レンズ群へ入射させないようにするための手段である。
図３は、有害光線除去手段５０の一例の構成を示す要部拡大断面図であり、この例に係る有害光線除去手段５０は、有害光線を被写体側に反射するか、或いは吸収することにより、撮影レンズ群１０へ入射させないようにするための表面形状を備えている。この例では、矢印で示す撮影光線の入射方向に向けて傾斜する面５１ａを備えた鋸歯状の多数の小突起５１を連続して形成することによって、面５１ａにて反射した有害光線が撮影レンズ側へ入射しないようにしている。
或いは、有害光線除去手段５０を、有害光線の反射を防止する材料（塗料を含む）から構成してもよい。即ち、有害光線が入射する可能性がある遮光部材本体２１の内周面に遮光性を有した材料にて構成したり、遮光シートを配置したり、黒シボ状に構成したり、或いはつや消し塗料を塗布する等の方法が考えられる。このように、レンズバリア装置のふところ部（遮光部材本体２１の内周面）の壁面を、図３のような表面形状としたり、或いは同部位に反射防止材または反射防止塗装を施すことにより、像性能を劣化させる有害な反射光束Ｏ１が撮影レンズ方向へ反射するのを防止できる。
【００１２】
以上の構成を備えた本発明のレンズバリア装置２において、図２（ｂ）に示す広角端では光線Ｏ２は撮影に寄与している。しかし、図２（ｂ）の広角端から図２（ｃ）に示す望遠端へと焦点距離を伸ばす間、または図２（ｃ）の望遠端では、像性能に寄与する光線は絞られていく。この例では、遮光部材２０は撮像物体側に移動し、第１の撮影レンズ１１との距離が拡大し、遮光部材本体２１の内周部（ふところ部）の光軸方向の隙間が拡張するために、図２（ｃ）のごとく光線Ｏ１が入りやすくなる。この光線Ｏ１は、遮光部材２０のふところ部の壁面を反射し、第１の撮影レンズ１１の面に入ったり、第１のレンズホルダ１１ｂに形成された穴等から第２の撮影レンズ１２の面に入射すると、像性能に悪影響を及ぼす恐れがある。そのため本発明では、有害光線Ｏ１が入射する壁面を、図３に示すような反射方向を規制する特殊な表面形状にしたり、反射防止材や塗装などの対策を採って対応している。
なお、上記実施形態では、撮影レンズ群１０としてズームレンズと２段沈胴鏡筒を用いて説明してきたが、例えば２焦点切換式のレンズや１段沈胴、３段沈胴以上の鏡筒を用いるカメラ等にも本発明は適応できる。更に、本発明は、ズームレンズ鏡筒を備えたデジタルカメラ、ビデオカメラ、銀塩カメラ、双眼鏡等にも適用することができる。
【００１３】
【発明の効果】
以上のように本発明のレンズバリア装置、ズームレンズ鏡筒、及びデジタルカメラによれば、部品点数の増大や構造の複雑化、レンズ鏡筒の大型化、コストアップを招くことなく、撮影レンズの焦点距離又は撮影画角に応じて遮光部材と撮影レンズとの光軸方向の距離を適切に変化させ、更に適切な位置に有害光を排除する有害光線除去手段を設けたので、写真撮影に有害な光線を排除し、良好な光学性能を維持することができる。
請求項１の発明は、焦点距離や画角の変化に応じて作動する調整手段によって、遮光部材と撮影レンズ群の前面との間の距離を可変調整するようにしたので、遮光部材や、レンズ鏡筒を大きくすることなく、また部品追加によるコストアップを招くことなく、画角以外からの光線を排除してフレア等が像性能に悪影響を与える不具合を解消できる。
請求項２の発明は、調整手段を、撮影レンズ群に対する遮光部材の光軸方向相対位置を、第１の撮影レンズと第２の撮影レンズの焦点距離又は撮影画角の変化に応じて移動させる機構としたので、既存の部品を用いることで部品点数増、コストアップを防止し、螺旋溝とピンから成るカム機構による簡単な機構でも作動不良が起きにくく、画角以外からの光線を排除してフレア等の像性能に対する悪影響を解消できる。
請求項３の発明では、調整手段は、固定筒と、回転移動筒と、少なくとも３本の可動側螺旋ガイドと、直進機構と、を備えているので、既存の部品を用いることで部品点数増、コストアップを防止し、螺旋溝とピンから成るカム機構による簡単な機構でも作動不良が起きにくく、画角以外からの光線を排除してフレア等の像性能に対する悪影響を解消できる。
請求項４の発明は、遮光部材は、撮影レンズ群をズーミングするために回転移動筒を回転させる動作に連動して光軸方向に移動して、撮像レンズ群の前面との相対的位置関係を調整可能に構成されているので、広角から望遠の間であっても、画角以外からの光線を排除してフレア等が像性能に悪影響を与える不具合を排除することができる。
請求項５、６乃至７に記載の発明によれば、望遠時に発生しやすい鏡筒内壁の反射光線を排除してフレア等の像性能に悪影響が発生する不具合を解消することができる。
請求項８乃至９に記載の発明は、遮光部材が、撮影レンズ群（特に第１撮影レンズ）とは別に作動でき、広角から望遠の間であっても、画角以外からの光線を排除してフレア等が像性能に悪影響を与える不具合を解消できる。
請求項１０の発明に係るズームレンズ鏡筒によれば、従来フレア等の有害光線の影響を受けやすかった小型で広画角のレンズ鏡筒に、有害光線の影響を排除するための構成を付加したので、高画質の画像を撮影することができる。
請求項１１の発明に係るデジタルカメラによれば、フレア等の有害光線の影響を受けやすい小型で広画角のレンズ鏡筒を備えたデジタルカメラであっても、簡単な改良によって高画質の画像を撮影できるように構成することができる。
【図面の簡単な説明】
【図１】本発明の一実施形態に係るレンズバリア装置を備えたズームレンズ鏡筒の外観斜視図。
【図２】レンズバリア装置を備えたズームレンズ鏡筒の構成及び動作を示す縦断面図。
【図３】有害光線除去手段の一例を示す要部拡大断面図。
【符号の説明】
１　ズームレンズ鏡筒、２　レンズバリア装置、１０　撮影レンズ群、１１　第１の撮影レンズ（群）、１２　第２の撮影レンズ（群）、１３　第３の撮影レンズ、１１ａ、１２ａ、１３ａ　レンズ本体、１１ｂ、１２ｂ、１３ｂ　レンズホルダ、１１ｃ、１２ｃ　ピン、２０　遮光部材、２１　遮光部材本体、２１ａ開口部、２１ｂ　ピン、３０　調整手段、３１　固定筒、３１ａ　固定側螺旋溝（固定側螺旋ガイド）、３１ｂ　直進溝、３３　回転移動筒、３３ａ、３３ｂ、３３ｃ　可動側螺旋溝（可動側螺旋ガイド）、３３ｄ　ピン、３５　直進機構、３５ａ、３５ｂ　環状部分、３５ｃ　連設片、３５ｃ’　直進ガイド、５０　有害光線除去手段、５１　小突起、５１ａ　面。
【図１】
2004109514.tif 000003
【図２】
2004109514.tif 000004
【図３】
2004109514.tif 000005